(57)【要約】【課題】消費電力の無駄が生じていた。【解決手段】電源回路であって、直流を出力する電源供給部と、上記電源供給部の稼働を制御する電源制御部と、上記電源供給部の出力側とグラウンドとの導通を遮断する遮断部と、を備え、上記電源制御部は、所定の電源オフ状態を検知した場合に、上記遮断部による遮断状態を解除する。上記電源制御部は、上記遮断部として、上記電源供給部の出力側と接続する第一ポートと、当該第一ポートをハイインピーダンス状態とするスイッチング素子と、グラウンドに接続する第二ポートとを備え、上記電源オフ状態を検知した場合に、当該スイッチング素子をオフ状態からオン状態へ切替えることにより当該第一ポートを第二ポートに導通させる。【選択図】図１
2014014224.tif 000002
【特許請求の範囲】
【請求項１】
電源回路であって、
直流を出力する電源供給部と、
上記電源供給部の稼働を制御する電源制御部と、
上記電源供給部の出力側とグラウンドとの導通を遮断する遮断部と、を備え、
上記電源制御部は、所定の電源オフ状態を検知した場合に、上記遮断部による遮断状態を解除する、ことを特徴とする電源回路。
【請求項２】
上記電源制御部は、上記遮断部として、上記電源供給部の出力側と接続する第一ポートと、当該第一ポートをハイインピーダンス状態とするスイッチング素子と、グラウンドに接続する第二ポートとを備え、上記電源オフ状態を検知した場合に、当該スイッチング素子をオフ状態からオン状態へ切替えることにより当該第一ポートを第二ポートに導通させることを特徴とする請求項１に記載の電源回路。
【請求項３】
上記遮断部は、上記電源供給部の出力側とグラウンドとの間に接続されたトランジスタであり、上記電源制御部は、上記電源オフ状態を検知した場合に、当該トランジスタをオフ状態からオン状態へ切替えることを特徴とする請求項１に記載の電源回路。
【発明の詳細な説明】
【技術分野】
【０００１】
本発明は、電源回路に関する。
【背景技術】
【０００２】
図４は、従来の電源回路１を示している。電源回路１では、電源供給部２は、出力側において電源供給対象である負荷３，４…と接続しており、これら負荷３，４に対して所定レベルの直流を供給する。電源供給部２や負荷３，４…を搭載する電化製品においては、ユーザが当該製品の電源をオフにして当該製品をスタンバイ状態にした場合や当該製品の電源コード（ＡＣコード５）が突如として引き抜かれた場合に、瞬時に電源供給部２の出力側の電位を０Ｖとすることが理想である。しかし実際には、電源供給部２の出力側に接続されたコンデンサＣに貯えられた電荷や負荷３，４…の突然の軽負荷化等に起因して、当該出力側の回路にある程度の電圧が残り（残留電圧が存在し）得る。このような残留電圧は、図３Ａに例示するように、電源オフ後、ある程度の時間を要して０Ｖへ低下していく。
【０００３】
このような残留電圧が存在している状況でユーザが電化製品を再び起動（電源オン）させた場合、残留電圧の影響により、例えば製品内の各ＩＣ（Integrated Circuit）を所定順序で起動させるためのシーケンスが正常に進まない等の不具合が発生し、起動不良等が起こり得る。そのため、電源回路１では、電源供給部２と負荷３，４…とを接続する配線とグラウンドＧＮＤとの間にブリーダ抵抗ＲBDを設けることにより、残留電圧ができるだけ短時間で無くなるようにしている。つまり、残留電圧による電流がブリーダ抵抗ＲBDを介してグラウンドＧＮＤに流れることで、残留電圧が短時間のうちに０Ｖになるようにしている。
【０００４】
なお、起動手段が生成する駆動用電圧が、出力手段が生成する駆動用電圧より小さい場合に、起動手段において電流が流れる経路を断つことにより、起動手段から制御手段に駆動用電圧を与えないようにして、定常動作時の無駄な電力消費を低減する構成が知られている（特許文献１参照。）。
【先行技術文献】
【特許文献】
【０００５】
【特許文献１】特開２００４‐７９５３号公報
【発明の概要】
【発明が解決しようとする課題】
【０００６】
電源回路１では、残留電圧の素早い解消を電源供給部２とグラウンドＧＮＤ間にブリーダ抵抗ＲBDを設けることにより実現している。しかし、このような構成では、電化製品の通常稼働時においてもブリーダ抵抗ＲBDに電流が流れてしまい、消費電力が無駄に増大してしまう。なお上記文献１は、このような残留電圧を解消するための構成における消費電力の無駄を低減するものではない。
【０００７】
本発明は上記課題を解決するためになされたものであり、消費電力の無駄を無くしつつ、残留電圧を瞬時に解消することが可能な電源回路を提供する。
【課題を解決するための手段】
【０００８】
本発明の態様の一つは、電源回路であって、直流を出力する電源供給部と、上記電源供給部の稼働を制御する電源制御部と、上記電源供給部の出力側とグラウンドとの導通を遮断する遮断部と、を備え、上記電源制御部は、所定の電源オフ状態を検知した場合に、上記遮断部による遮断状態を解除する構成としてある。
【０００９】
当該構成においては、上記電源制御部が所定の電源オフ状態を検知した場合に、上記遮断部による遮断状態が解除され、上記電源供給部の出力側とグラウンドとが導通する。そのため、所定の電源オフ状態が検知されたら、電源供給部の出力側の電位が瞬時にグラウンドレベルとなり、上記残留電圧が解消される。従って、従来のブリーダ抵抗を用いた構成のような通常稼働時における消費電力の無駄を無くし、残留電圧を瞬時に解消することができる。
【図面の簡単な説明】
【００１０】
【図１】電源回路の一例を示す図である。
【図２】電源回路の他の例を示す図である。
【図３】残留電圧が低下する態様を例示する図である。
【図４】従来の電源回路を示す図である。
【発明を実施するための形態】
【００１１】
本発明の実施形態として、上記電源制御部は、上記遮断部として、上記電源供給部の出力側と接続する第一ポートと、当該第一ポートをハイインピーダンス状態とするスイッチング素子と、グラウンドに接続する第二ポートとを備え、上記電源オフ状態を検知した場合に、当該スイッチング素子をオフ状態からオン状態へ切替えることにより当該第一ポートを第二ポートに導通させるとしてもよい。
【００１２】
また、本発明の実施形態として、上記遮断部は、上記電源供給部の出力側とグラウンドとの間に接続されたトランジスタであり、上記電源制御部は、上記電源オフ状態を検知した場合に、当該トランジスタをオフ状態からオン状態へ切替えるとしてもよい。
【００１３】
以下、図面を参照しながら本発明の実施形態を更に説明する。
図１は、本実施形態にかかる電源回路１０を一例により示している。電源回路１０は、電源供給部１１、電源供給部１１の稼働を制御する電源制御部としての電源制御マイクロコンピュータ（マイコン）１５、コンデンサＣ等を含む。負荷１３，１４…は、電源供給部１１から出力される直流を受けて駆動する。電源回路１０は、外部から電源を得て稼働するあらゆる電化製品（例えば、テレビ、レコーダ、プレーヤ等）に搭載可能である。
【００１４】
電源供給部１１は、ＡＣコード１２を介して外部の商用ＡＣ電源に接続することによりＡＣ電源の供給を受ける。そして、電源供給部１１は、一般的な整流回路、トランス、平滑化回路等を備え、所定レベルに調整した直流を２次側（出力側）から出力する。電源制御マイコン１５は、スタンバイ電源供給部１６から所定の直流を受けて稼働する。図１では省略しているが、スタンバイ電源供給部１６もＡＣコード１２（外部の商用ＡＣ電源）と接続している。スタンバイ電源供給部１６は、製品（図１に記載の構成が搭載された電化製品）の主電源がオフにされた状態（いわゆるスタンバイ状態）においても、外部からの電源供給を受けているため、電源制御マイコン１５は、製品がスタンバイ状態のときも稼働する。電源制御マイコン１５は、所定の制御用プログラムに基づいて、例えばユーザによる主電源（図示しない主電源ボタン等）のオン／オフの指示を監視し、当該指示に応じて、制御ラインＣＬを通じて電源供給部１１を稼働（オン）させたり稼働停止（オフ）させたりする。
【００１５】
電源制御マイコン１５は、第一ポート１５ａ、スイッチング素子ＳＷ、第二ポート１５ｂを含んで構成される。第一ポート１５ａは、抵抗Ｒ１を介して電源供給部１１の出力側と接続している。第二ポート１５ｂは、グラウンドＧＮＤと接続している。スイッチング素子ＳＷは、電源制御マイコン１５内において、第一ポート１５ａと第二ポート１５ｂとの間に設けられており、通常稼働時はオフに設定されている。そのため、第一ポート１５ａは基本的にはハイインピーダンス状態となっており、第一ポート１５ａと第二ポート１５ｂの間に電流は流れないようになっている。つまり、第一ポート１５ａ、スイッチング素子ＳＷ、第二ポート１５ｂは、電源供給部１１の出力側とグラウンドＧＮＤとの導通を遮断する遮断部に該当する。
【００１６】
このような構成において、電源制御マイコン１５は、所定の電源オフ状態を検知した場合に、上記遮断部による遮断状態を解除する。所定の電源オフ状態とは、ユーザによって主電源のオフが指示された（スタンバイ状態への移行を指示された）状態や、ＡＣコード１２と商用ＡＣ電源との接続が切れた状態（ＡＣオフ状態）などを意味する。なお、電源制御マイコン１５は、スタンバイ電源供給部１６からの電源供給が止まったことによりＡＣオフ状態を検知することができる。電源制御マイコン１５は、スタンバイ電源供給部１６からの電源供給が止まった場合であっても、電源制御マイコン１５内に留まった電荷により数秒間は稼働することができる。
【００１７】
電源制御マイコン１５は、所定の電源オフ状態を検知した場合、スイッチング素子ＳＷをオフ状態からオン状態に切替える。これにより、電源供給部１１の出力側とグラウンドＧＮＤとが導通する。その結果、電源供給部１１の出力側に発生している残留電圧による電流が第一ポート１５ａ・第二ポート１５ｂ間を通じて瞬時にグラウンドＧＮＤへ流れ、残留電圧が極めて短時間のうちに消滅する（図３Ｂ参照）。
【００１８】
図２は、本実施形態にかかる電源回路２０を一例により示している。電源回路２０において電源回路１０と同一の符号を付した箇所については、電源回路１０と同様であるため説明を省略する。電源回路２０は、電源供給部１１の出力側とグラウンドＧＮＤとの導通を遮断する遮断部としてオフ状態のトランジスタＱを備える。トランジスタＱは、抵抗Ｒ１を介して電源供給部１１の出力側とコレクタを接続しており、グラウンドＧＮＤとエミッタを接続している。また、ベースを抵抗Ｒ２を介して電源制御マイコン１５に接続している。
【００１９】
このような構成において、電源制御マイコン１５は、上記所定の電源オフ状態を検知した場合に、上記遮断部による遮断状態を解除する。つまり、電源制御マイコン１５は、所定の電源オフ状態を検知した場合、トランジスタＱのベースに所定レベルの電圧を印加することによりトランジスタＱをオフ状態からオン状態へ切り替え、コレクタ-エミッタ間を導通させる。これにより、電源供給部１１の出力側とグラウンドＧＮＤとが導通する。その結果、電源供給部１１の出力側に発生している残留電圧による電流がトランジスタＱを通じて瞬時にグラウンドＧＮＤへ流れ、残留電圧が極めて短時間のうちに消滅する（図３Ｂ参照）。図２の構成によれば、残留電圧による電流が電源制御マイコン１５内を通過しないため（遮断部が電源制御マイコン１５の外部に設けられているため）、図１の構成と比較してより短時間で多くの電流を遮断状態が解除された遮断部を通じてグラウンドＧＮＤへ引き込むことができる。
【００２０】
このように本実施形態によれば、従来のように電源供給部とグラウンドとを繋ぐブリーダ抵抗を用いることなく、所定の電源オフ状態が検知された場合に残留電圧を瞬時に解消することができる。従って、ブリーダ抵抗を用いていた場合のような製品が通常稼働しているときもブリーダ抵抗を通じて電流がグラウンドに逃げて消費電力が増大するということが無くなり、かつ、残留電圧が長時間存在することによる上記不具合を回避することができる。
【００２１】
なお、本実施形態のさらなる変形例として、電源制御マイコン１５は、複数の電源供給部の出力側とそれぞれ異なるポートで接続し、これら複数の電源供給部によるそれぞれの残留電圧を解消するようにしてもよい。つまり、複数の電源供給部の出力側とそれぞれ接続する複数のポートを備えることで、図１に示した遮断部の構成をこれら複数の電源供給部に対応させて複数備えるとしてもよい。
【符号の説明】
【００２２】
１０…電源回路、１１…電源供給部、１２…ＡＣコード、１３，１４…負荷、１５…電源制御マイコン、１５ａ…第一ポート、１５ｂ…第二ポート、１６…スタンバイ電源供給部、２０…電源回路、ＳＷ…スイッチング素子、Ｑ…トランジスタ
【図１】
2014014224.tif 000003
【図２】
2014014224.tif 000004
【図３】
2014014224.tif 000005
【図４】
2014014224.tif 000006